(57)【要約】      （修正有）【課題】性同一性障害のような患者の精神的ストレスを解消しつつ、溢れ・漏れのない適切な排尿効果を奏する排尿補助器具を提供する。【解決手段】男性の陰茎を模った外形とされ、内部に貯尿空間１２を有する排尿具本体１１と、排尿具本体１１の基端を人体に装着するための装着具と、を備える。装着具は、リング２４と、人体の腰及び股に巻き付けられるバンド部と、バンド部と連結されリング２４を固定するリング固定部と、を有する。排尿具本体１１は、その基端側の外周にリング２４に嵌合する環状凹部１５が形成され、貯尿空間１２の基端側に大径の導入口１３が形成されるとともに先端側に小径の排出口１４が形成される。貯尿空間１２は６０〜８０ｃｍ３の容積とされ、排出口１４は長径が６〜８ｍｍ、短径が３〜５ｍｍの涙形状孔とされている。【選択図】図６
0003191243.tif 000002
【実用新案登録請求の範囲】
【請求項１】
男性の陰茎を模った外形とされ、内部に貯尿空間を有する排尿具本体と、
前記排尿具本体の基端を人体に装着するための装着具と、を備え、
前記装着具は、リングと、人体の腰及び股に巻き付けられるバンド部と、前記バンド部と連結され前記リングを固定するリング固定部と、を有し、
前記排尿具本体は、
その基端側の外周に前記リングに嵌合する環状凹部が形成され、
前記貯尿空間の基端側に大径の導入口が形成されるとともに先端側に小径の排出口が形成され、
前記貯尿空間は６０〜８０ｃｍ３の容積とされ、前記排出口は長径が６〜８ｍｍ、短径が３〜５ｍｍの涙形状孔とされている排尿補助器具。
【請求項２】
基端に人体の尿道口を覆う第１開口部と、先端に尿を排出する第２開口部とを有し、前記尿道口と前記排尿具本体の基端側との間に介装される中空状のインナーカップをさらに備える請求項１に記載の排尿補助器具。
【請求項３】
前記排尿具本体の基端と前記リングとの間に介装される吸水パッドをさらに備える請求項１又は２に記載の排尿補助器具。
【考案の詳細な説明】
【技術分野】
【０００１】
本考案は、男性性器の機能を有する排尿補助器具に関するものである。
【背景技術】
【０００２】
性同一性障害や半陰陽（性分化疾患）のような先天的疾患の女性患者や、病気もしくは事故によって後天的に男性性器を失った男性患者が、排尿時に感じる精神的ストレスを解消するために、男性性器の陰茎及び陰嚢を模った本体に排尿路が形成された男性器代用器が知られている（特許文献１）。しかしながら、この男性器代用器は排尿路が細いので、性器と器具との装着部分から尿が溢れ、漏れてしまうという問題がある。
【０００３】
また、適当な内径で適当な長さの金属製，セラミックス製，プラスチックス製又は紙製の円筒形状であって、その一端を使用時に適当な下向きが保てるように角度を付け、円筒の切り口に角度を保って装着できる中央に穴を開けた鍔を設けた排尿補助器具も知られている（特許文献２）。しかしながら、この排尿補助器具は、単なる円筒形状の本体であるため、排尿補助作用はあっても、上述した性同一性障害等の患者が有する精神的ストレスを解消することはできないという問題がある。
【０００４】
なお、ファルス（疑似男根）とプラグ（はめ込み核）との結合装具も知られているが（特許文献３）、これは勃起不能症患者のための性交器具であって、排尿補助作用はない。
【先行技術文献】
【特許文献】
【０００５】
【特許文献１】特許第４３０４３８０号公報
【特許文献２】特開２００６−３１４７８３号公報
【特許文献３】特開平７−３１６３７号公報
【考案の概要】
【考案が解決しようとする課題】
【０００６】
本考案が解決しようとする課題は、上記のような疾患の女性又は男性患者の精神的ストレスを解消しつつ、溢れ・漏れのない適切な排尿効果を奏する排尿補助器具を提供することである。
【課題を解決するための手段】
【０００７】
本考案は、排尿補助器具を排尿具本体と装着具とから構成し、排尿具本体は、貯尿空間の基端側に大径の導入口を形成するとともに先端側に小径の排出口を形成し、貯尿空間は６０〜８０ｃｍ３の容積とし、前記排出口は長径が６〜８ｍｍ、短径が３〜５ｍｍの涙形状孔とすることにより、上記課題を解決する。
【考案の効果】
【０００８】
本考案によれば、排尿具本体の貯尿空間の容積を６０〜８０ｃｍ３、排出口を長径が６〜８ｍｍ、短径が３〜５ｍｍの涙形状の孔とすることで、排尿量が多くても逆流して溢れることはなく、また実際の排尿と同じようなリアルな放物線を描いた小便をすることができる。したがって、上記のような疾患の女性又は男性患者の精神的ストレスを解消しつつ、溢れ・漏れのない適切な排尿効果を奏する。
【図面の簡単な説明】
【０００９】
【図１】本考案に係る排尿補助器具の排尿具本体の一実施の形態を示す斜視図である。
【図２】（Ａ）は図１のIIA矢視図、（Ｂ）は図１のII-II線に沿う断面図、（Ｃ）は図１のIIC矢視図である。
【図３】本考案に係る排尿補助器具の装着具の一実施の形態を示す斜視図である。
【図４】図３の装着具を装着した状態を示す斜視図である。
【図５】本考案に係る排尿補助器具のインナーカップの一実施の形態を示す斜視図である。
【図６】図１の排尿具本体を図４の装着具に装着し、図５のインナーカップを人体の尿道口に装着した状態で排尿する様子を示す断面図である。
【考案を実施するための形態】
【００１０】
以下、本考案の一実施の形態を図面に基づいて説明する。本例の排尿補助器具１は、性同一性障害や半陰陽（性分化疾患）のような先天的疾患の女性患者や、病気もしくは事故によって後天的に男性性器を失った男性患者が、排尿する際に用いられる器具であり、常時装着してもよいし、排尿時にのみ装着してもよい。
【００１１】
性同一性障害の女性患者は、戸籍変更して男性として社会生活している個人が多く存在し、当たり前の生活習慣として、公衆トイレの男性側トイレに入って立小便をしたいという精神的要求があり、医学的には女性であっても女性側トイレに入って小便することは外見的理由から無理があり、男性用トイレの個室を利用するしかなく、精神的ストレスが大きい。また、後天的に男性性器を失った男性患者にしても、小便をするのに個室に入るのは精神的なストレスを感じることが少なくない。そのため、本例の排尿補助器具１は、ズボンのチャックを開けて立小便をする場合でも、本物の男性の陰茎に見えるような外形・外観とされた排尿具本体１１と、この排尿具本体を人体の尿道口の廻りに固定するための装着具２１と、必要に応じて尿道口から排出された尿を指向するインナーカップ３１と、必要に応じて漏れた尿を吸収及び消臭する吸水消臭パッド４１と、を備える。
【００１２】
本例の排尿具本体１１は、図１及び図２に示すように、シリコーンなどの柔軟性を有する合成樹脂から構成され、その外観・外形及び色彩は男性の陰茎を模ったものとされ、内部に貯尿空間１２を有する。本例の排尿具本体１１では、男性性器の陰嚢に相当する部位は設けていないが、これは中空の陰嚢部を設けるとそこに尿が溜るので尿の排出が困難となり、中実の陰嚢部にすると排尿具本体１１が重くなって装着具２１からの脱落が懸念されるからである。
【００１３】
本例の排尿具本体１１は、内部に貯尿空間１２を有しているので排尿具本体１１自体が折れ曲がり自在であるため排尿時以外は折り曲げて下着内に収めることができる。一方において、排尿時にはズボンのチャックを下して取り出すと、シリコーンの自己弾性によって直立して原形に復元するので排尿機能を奏することができる。
【００１４】
本例の排尿具本体１１は、上述したとおりチューブ状に形成され、貯尿空間１２の基端側に大径の導入口１３が形成されるとともに先端側に小径の排出口１４が形成されている。図２（Ａ）に示すように、大径の挿入口１３は円形の開口とされ、図２（Ｃ）に示すように小径の排出口１４は鉛直下側が膨出する涙形状（ティアドロップ形）の開口とされている。そして、貯尿空間１２は、６０〜８０ｃｍ３の容積とされ、排出口１４は長径が６〜８ｍｍ、短径が３〜５ｍｍの涙形状孔とされている。成人の１回の平均尿量は２００〜４００ｍｌ（＝ｃｍ３）と言われているが、本例の排尿具本体１１は、貯尿空間１２を６０〜８０ｃｍ３の容積とし、排出口１４を長径が６〜８ｍｍ、短径が３〜５ｍｍの涙形状孔とすることで７〜１０ｍｌ／秒の尿を排出することができる。したがって、３００ｍｌの尿であれば３０〜４３秒で排出でき、６０〜８０ｃｍ３の貯尿空間１２を考慮すれば、溢れて漏れることが防止される。ちなみに、小径の排出口１４の開口面積を大きくすれば単位時間当たりの排出量は増加するが、排尿量や排尿の放物線形状にリアル感がなくなるので好ましくない。
【００１５】
本例の排尿具本体１１は、その基端がその他の部位に比べて厚肉に形成され、ここに図１及び図２に示すような環状凹部１５が形成されている。この環状凹部１５は、後述する装着具２１に固定されたリング２４に嵌合して排尿具本体１１を装着具２１に固定するためのものである。
【００１６】
本例の装着具２１は、上述した排尿具本体１１の基端を人体Ｈに装着するための装着具であって、図３（Ａ）及び図４に示すように、金属製リング２４と、人体Ｈの腰Ｈ１及び両足Ｈ２間の股に巻き付けられるバンド部２２と、このバンド部２２と連結されリング２４を固定する布製リング固定部２３と、を有する。本例のバンド部２２は、図４に示すように、人体Ｈの腰Ｈ１に巻き付けることができる帯状ゴムバンドである腰部分２２Ａと、一端がこの腰部分２２Ａの前面側に縫製され、他端が人体Ｈの股間に宛がわれる矩形状のリング固定部２３に上端に縫製された２本の第１股間部分２２Ｂと、一端がリング固定部２３の下端に縫製され、他端が腰部分２２Ａの背面側に縫製された２本の第２股間部分２２Ｃとから構成されている。そして図３に示すように、第２股間部分２２Ｃは股間に巻き付ける際の長さが調節可能なように２分割され、その端部に面ファスナ２５，２５が取り付けられている。このように本例の装着具２１では、腰回りの長さは腰部分２２Ａを伸縮自在のゴムバンドで構成することで人体Ｈに応じて調節可能とし、股間の長さは第２股間部分２２Ｃを二分割して面ファスナ２５を設けることで人体Ｈに応じて調節可能とされている。
【００１７】
本例の装着具２１の第１股間部分２２Ｂと第２股間部分２２Ｃとに縫製されたリング固定部２３には、リング２４が固定されている、このリング２４は、上述した排尿具本体１１の基端に形成された環状凹部１５に嵌合するものであり、このリング２４と環状凹部１５との嵌合によって排尿具本体１１が装着具２１に固定される。なお、排尿具本体１１は柔軟性を有するので取り外すこともできるが、装着状態において下着に触れるなどの外力が作用しても容易に外れない嵌合構造とされている。
【００１８】
本例の排尿補助器具１は、必要に応じて図５に示すインナーカップ３１と、図３（Ｂ）に示す吸水消臭パッド４１を用いてもよい。本例のインナーカップ３１は、ポリ塩化ビニルなどの柔軟性を有する合成樹脂から構成され、その基端に人体Ｈの尿道口を覆う第１開口部３２が形成され、先端に尿を排出する第２開口部３３が形成された中空状の部材である。本例の排尿補助器具１を使用するのが女性である場合、女性性器の尿道口は陰唇の中に隠れているので、排尿具本体１１の導入口１３を女性性器の尿道口の廻りに押し当てても、実際の尿の出口が定まらないことがある。このため、本例のインナーカップ３１を利用することにより、すべての尿排尿具本体１１の内部空間１２に案内することができ、尿漏れをよりよく防止することができる。そして本例のインナーカップ３１は、図６に示すように、基端の第１開口部３２が女性性器の陰唇内に挿入される一方で、先端の第２開口部３３は排尿具本体１１の内部空間１２に臨むように介装された状態で使用される。なお、インナーカップの最大外径は排尿具本体１１の導入口１３の開口径より
大きくされているので、女性性器と排尿具本体１１の導入口１３との間でインナーカップ３１を挟持することとなり、インナーカップ３１が女性性器から外れるのを防止することができる。
【００１９】
本例の吸水消臭パッド４１は、図３（Ｂ）に示すように、厚さ４ｍｍ前後、７５ｍｍ四方の大きさを有し、中央にリング２４の径より僅かに小さい径の開口を有する吸水性材料から構成され、消臭剤などが添加されている。本例の吸水消臭パッド４１は、装着具２１のリング２４の周囲に配置され、排尿具本体１１をリング２４に取り付ける際に、一緒に挟み込むことでリング２４と排尿具本体１１との間に固定される。この吸水消臭パッド４１を装着しておくことで、仮に尿の一部が排尿具本体１１の外部に漏れてしまった際に、この吸水消臭パッド４１で吸収及び脱臭することができる。
【符号の説明】
【００２０】
１…排尿補助器具
１１…排尿具本体
１２…貯尿空間
１３…導入口
１４…排出口
１５…環状凹部
２１…装着具
２２…バンド部
２２Ａ…腰部分
２２Ｂ…第１股間部分
２２Ｃ…第２股間部分
２３…リング固定部
２４…リング
２５…面ファスナ
３１…インナーカップ
３２…第１開口部
３３…第２開口部
４１…吸水消臭パッド
【図１】
0003191243.tif 000003
【図２】
0003191243.tif 000004
【図３】
0003191243.tif 000005
【図４】
0003191243.tif 000006
【図５】
0003191243.tif 000007
【図６】
0003191243.tif 000008